(57)【要約】【課題】防音性が高く低コストでありながら設計の自由度が大きい車両用外装材を提供する。【解決手段】複数の層を有して構成される板状防音部２０が設けられ、複数の層は、板状防音部２０における少なくとも一方の表面が樹脂材料を含む樹脂層３１であり、吸音性を有する吸音層３２を少なくとも含み、板状防音部２０の配設された場所における所定位置には、樹脂層３１が配設された側の面に、線状に延設された線状凸部が形成される。【選択図】図３
2015013538.tif 000002
【特許請求の範囲】
【請求項１】
複数の層を有して構成される板状防音部が設けられ、
前記複数の層は、
前記板状防音部における少なくとも一方の表面が樹脂材料を含む樹脂層であり、
吸音性を有する吸音層を少なくとも含み、
前記板状防音部の配設された場所における所定位置には、前記樹脂層が配設された側の面に、線状に延設された線状凸部が形成されたことを特徴とする車両用外装材。
【請求項２】
前記板状防音部における前記樹脂層が配設された側の面には、前記線状凸部に隣接する所定範囲に凹部が形成されたことを特徴とする請求項１記載の車両用外装材。
【請求項３】
前記車両用外装材は、前記複数の層を有して構成される平板状の板状部材が金型で挟み込まれた後、樹脂材料の射出成形により製造され、
前記凹部は、前記板状部材を前記金型で挟み込むことにより形成されることを特徴とする請求項２記載の車両用外装材。
【請求項４】
前記線状凸部は、前記板状防音部における縁端部の少なくとも一部に、該縁端部に沿って延設されたことを特徴とする請求項１から３の何れか１項に記載の車両用外装材。
【請求項５】
前記線状凸部は、前記板状防音部における縁端部における点と、縁端部における他の点との間をつなぐ線状に形成されたことを特徴とする請求項１から４の何れか１項に記載の車両用外装材。
【発明の詳細な説明】
【技術分野】
【０００１】
本発明は、例えば自動車のフェンダプロテクタ、アンダーカバーなどの車両用外装材に関する。
【背景技術】
【０００２】
一般に、自動車には、走行時に泥水の飛散や小石の跳ね上げ等から車体を保護するため、例えば車体のホイールハウスの内側に、タイヤの上部を覆うフェンダプロテクタが取り付けられている。このフェンダプロテクタは、所定の熱可塑性樹脂を主成分とした材料を射出成形することで製造されることが一般的である。また、タイヤの一部を上方から覆うことができるように、概略的にはアーチ状などに湾曲した面形状となるよう構成されている。
【０００３】
近年、フェンダプロテクタ等の車両用外装材では、自動車の燃費向上やコストダウンのため、所定の剛性や強度を確保しながら軽量化が求められている。また、例えばフェンダプロテクタにおいては、車体を保護する機能に加えて、車両の走行時に発生する騒音が車室内に伝播されるのを抑制しておく機能も求められている。こうした車両の走行時における騒音としては、土砂、小石、水等の衝突（チッピング）により生じる衝突音（チッピング音やスプラッシュ音）、路面とタイヤとの摺接によって生じる擦過音（パターンノイズやロードノイズ）等がある。
【０００４】
こうした騒音の伝播を抑制するために吸音材を設けたものとして、特許文献１，２が知られている。
特許文献１を参照すると、溶融状態の熱可塑性樹脂シートを不織布の一面に重ねて一対のロール間を通すことにより、両面から押圧し、不織布層と、熱可塑性樹脂層とを備えた外装材とすることが記載されている。
【０００５】
また、本出願人による特許文献２を参照すると、フェンダプロテクタの裏面にリブを立設し、このリブを覆うように吸音材を設けることで、フェンダプロテクタの裏面とリブとの間を吸音気室とする構成が記載されている。
【先行技術文献】
【特許文献】
【０００６】
【特許文献１】特開２０１１−１４３７６３号公報
【特許文献２】特開２０１０−６３１２号公報
【発明の概要】
【発明が解決しようとする課題】
【０００７】
しかしながら、特許文献１に示される不織布層など、吸音性を有する吸音層は、剛性の高い樹脂による樹脂層と比較して剛性や強度が低い。また、車両用外装材としては、防音性の向上と共に、上述のように軽量化、薄肉化も求められている。
このため、不織布による吸音層と、熱可塑性樹脂層とを備えた構成により防音性の向上を図るとしても、設計の際には、軽量化、薄肉化しながら所定の剛性や強度を有するように設計することとなる。このため、吸音層を配設できる場所や面積が限定されるなど、設計上の制約が大きくなっていた。
【０００８】
また、特許文献２は、リブを立設したフェンダプロテクタを成形した後、吸音材をリブ付近などいくつもの所定位置で固定していく工程を行い、製造することとなるため、コスト高となるおそれがあった。
【０００９】
本発明はこのような状況に鑑みてなされたものであり、防音性が高く低コストでありながら設計の自由度が大きい車両用外装材を提供することを目的とする。
【課題を解決するための手段】
【００１０】
かかる目的を達成するために、本発明に係る車両用外装材は、複数の層を有して構成される板状防音部が設けられ、複数の層は、板状防音部における少なくとも一方の表面が樹脂材料を含む樹脂層であり、吸音性を有する吸音層を少なくとも含み、板状防音部の配設された場所における所定位置には、樹脂層が配設された側の面に、線状に延設された線状凸部が形成されたことを特徴とする。
【発明の効果】
【００１１】
以上のように、本発明によれば、防音性が高く低コストでありながら設計の自由度が大きい車両用外装材を提供することができる。
【図面の簡単な説明】
【００１２】
【図１】本発明の実施形態としてのフェンダプロテクタ１００の外観例を概略的に示す斜視図である。
【図２】板状防音部２０と、縁端ビード部４１、面内ビード部４２の関係を模式的に示す図である。
【図３】（ａ）模式的な横断面、（ｂ）縁端ビード部４１周り、（ｃ）面内ビード部４２周りを、それぞれ示す図である。
【図４】縁端ビード形成部２０３周りについて、製造工程を模式的に示す図である。
【図５】面内ビード形成部２０４周りについて、製造工程を模式的に示す図である。
【図６】板状防音部２０の他の配置例を示す斜視図である。
【図７】板状防音部２０の他の形状例を示す図である。
【発明を実施するための形態】
【００１３】
次に、本発明に係る車両用外装材を自動車のフェンダプロテクタに適用した一実施形態について、図面を用いて詳細に説明する。
なお、本発明に係るフェンダプロテクタの構成としては、以下に説明する形状、配置構成以外にも本願発明の課題を解決することができる形状、配置構成であれば、それらの形状、配置構成を本願発明のフェンダプロテクタとして採用することができる。このため、本発明は、以下に説明する実施形態に限定されるものではなく、多様な変更が可能である。
【００１４】
図１に示すように、本実施形態のフェンダプロテクタ１００は、自動車におけるタイヤの一部を上方から覆うことができるように、概略的にはアーチ状に湾曲した面形状となるよう構成されている。また、アーチ状に湾曲した面形状の上部には、切欠部１２が形成される。フェンダプロテクタ１００が車両に取り付けられた際、この切欠部１２には、図示しないタイヤを保持する部分やサスペンションなどの車両部材が配置される。
【００１５】
なお、本明細書では、車両の直進時における前進方向を基準として前後左右方向を定めることとする。また、上下方向は、車両が水平面に置かれた時の鉛直方向における上下方向とする。
【００１６】
本実施形態のフェンダプロテクタ１００は、射出成形により成形された成形樹脂部１１の中に、板状防音部２０が配置されて構成される。図１の構成例では、フェンダプロテクタ１００の湾曲した面形状における後方側に板状防音部２０ａが、上部に板状防音部２０ｂが、それぞれ配設された場合を示す。こうした構成により、剛性が必要な前方側は板状防音部２０の配置されていない成形樹脂部１１で構成し、小石や水等のチッピングが当たる後方側に板状防音部２０ａを配置し、エンジンルーム内に対する吸音および遮音のための上部に板状防音部２０ｂを配置するようにしている。
【００１７】
板状防音部２０ａの縁端部には、線状に延設された線状凸部としての縁端ビード部４１ａが形成され、面内には面内ビード部４２ａが形成される。また、板状防音部２０ｂの縁端部には、線状に延設された線状凸部としての縁端ビード部４１ｂが形成され、面内には面内ビード部４２ｂが形成される。
【００１８】
図２に、上述した板状防音部２０と、縁端ビード部４１、面内ビード部４２の関係を模式的に示す。図３（ａ）はその模式的な横断面を示し、図３（ｂ）は縁端ビード部４１周りの詳細な構成を、図３（ｃ）は面内ビード部４２周りの詳細な構成を、それぞれ示す。
【００１９】
板状防音部２０が配設された場所には、その板状防音部２０の縁端部２３を内部に収めるように縁端ビード部４１が形成される。また、板状防音部２０の面内には、縁端部におけるある１点と他の１点との間をつなぐ略直線状に面内ビード部４２が形成される。
【００２０】
また、本実施形態のフェンダプロテクタ１００は、後述のように射出成形により成形されるため、金型内に溶融状態の熱可塑性樹脂を注入する入口となるゲート１３が配設される。このゲート１３の数や配置は、溶融状態の熱可塑性樹脂が成形品であるフェンダプロテクタ１００の隅々まで流れて充填されるように、フェンダプロテクタ１００の形状に応じて適宜設計される。このため、図１中にはゲート１３を省略した概略形状を示す。
【００２１】
成形樹脂部１１は、特に強度を要求される所定の部分を除いて、フェンダプロテクタ自体の軽量化を図るため、例えば１．０ｍｍ程度の薄肉板状として構成される。
このため、ゲート１３から注入された溶融状態の熱可塑性樹脂の流動性をよくするように、上述した縁端ビード部４１、面内ビード部４２に加えて、ビード部がフェンダプロテクタ１００の形状に応じて適宜配置されてよい。
【００２２】
板状防音部２０は、図３に示すように、樹脂層３１と、吸音層３２との２層構造からなる。
【００２３】
樹脂層３１は、例えばポリプロピレンなどの剛性の高い樹脂材料に所定の添加剤などを加えた材料により構成される。このため、音が貫通しにくく、遮音性を有する層となっている。
吸音層３２は、例えば不織布や各種繊維材料など吸音性を有する材料で構成される。特に不織布は、チッピング音やスプラッシュ音といった打音に対する吸音性が高いため、好適に適用することができる。
【００２４】
上述した縁端ビード部４１、面内ビード部４２は、板状防音部２０における樹脂層３１が表面に配設された側の面に形成される。すなわち、縁端ビード部４１、面内ビード部４２を構成する樹脂は、板状防音部２０以外の部分である成形樹脂部１１を構成する樹脂と同一であり、樹脂層３１を構成する樹脂と、後述する射出成形により一体化されて構成される。図１、図２の構成例では、アーチ状に湾曲した面形状のフェンダプロテクタ１００における外側、すなわち車体側に板状防音部２０の樹脂層３１が配設された場合を示す。
【００２５】
こうした構成で、アーチ状に湾曲した面形状のフェンダプロテクタ１００における内側、すなわちタイヤ側に板状防音部２０の吸音層３２を配設することにより、吸音層３２の不織布などでチッピング音・スプラッシュ音等の打音を小さくすることができる。また、車体側に配設された樹脂層３１によりパターンノイズ等を遮音することができる。言うなれば、図１、図２に示す構成例は、チッピング音・スプラッシュ音等の打音を吸音することを特に重視した配置である。
【００２６】
また、図３に示す樹脂層３１の厚みＤは、０．５ｍｍ〜１．５ｍｍであることが好ましく、吸音層３２の厚みＥは、１ｍｍ以上であることが好ましい。こうした厚みとすることで、フェンダプロテクタ１００の全体として軽量化、薄肉化を図りつつ、樹脂層３１による遮音効果や吸音層３２による吸音効果も十分に引き出すことができる。
【００２７】
また、樹脂層３１や吸音層３２は、狙いの性能によって種々変更して設計されてよい。樹脂層３１の厚みＤを厚くすれば、遮音性を向上させることができる。また、吸音層３２については、吸音層３２の厚みＥ、単位面積当たりの質量、繊維の圧縮量、繊維長などを変えることにより、所定の周波数に対して特に吸音性の高い構成とすることができる。
【００２８】
また、図３（ｂ）に示すように、縁端ビード部４１に隣接する板状防音部２０側の所定範囲には、縁端凹部２１が形成される。また、図３（ｃ）に示すように、面内ビード部４２に隣接する板状防音部２０の両側の所定範囲には、面内凹部２２が形成される。
この縁端凹部２１および面内凹部２２は、後述する射出成形の際に金型で主に吸音層３２が押し潰されることで形成される。凹部の深さは０．５ｍｍ以内が好ましい。
【００２９】
次に、本実施形態のフェンダプロテクタ１００の製造方法について、図４、図５を参照して説明する。
図４（ａ）は、金型２００での型締め前における縁端ビード形成部２０３周りを示し、図４（ｂ）は、その型締め後を示す。図５（ａ）は、金型２００での型締め前における面内ビード形成部２０４周りを示し、図５（ｂ）は、その型締め後を示す。
【００３０】
本実施形態のフェンダプロテクタ１００の製造工程では、まず板状部材５０を金型２００により挟み込む。そして、この挟み込んだ状態で金型２００における上述したゲート１３に対応する部分から金型２００の内側の空間に溶融状態の熱可塑性樹脂を流し込んで充填する。本実施形態のフェンダプロテクタ１００は、こうした熱可塑性樹脂の射出成形により製造される。
【００３１】
板状部材５０は、成形後に板状防音部２０とされる平板状の部材であり、樹脂層５１、吸音層５２の２層構造からなるよう予め成形される。樹脂層５１は、成形後のフェンダプロテクタ１００における樹脂層３１とされる部分であり、吸音層５２は、成形後のフェンダプロテクタ１００における吸音層３２とされる部分である。
【００３２】
金型２００の内側面には、本実施形態のフェンダプロテクタ１００を成形するための所定の凹凸形状が形成される。
図４に示す縁端ビード形成部２０３周りには、縁端凹部２１を形成するための縁端圧縮部２０１と、縁端ビード部４１を形成するための縁端ビード形成部２０３とが形成される。また、図５に示す面内ビード形成部２０４周りには、面内凹部２２を形成するための面内圧縮部２０２と、面内ビード部４２を形成するための面内ビード形成部２０４とが形成される。
【００３３】
金型２００による型締めを行う前には、図４（ａ）に示すように、板状部材５０の縁端部５３が縁端ビード形成部２０３内の空間に収まるよう定められた所定位置に、板状部材５０が配置される。また、板状部材５０は、金型２００における縁端ビード形成部２０３および面内ビード形成部２０４が配設される側に樹脂層５１の配設面が向くように配置される。
そして金型２００の型締めを行うことで、図４（ｂ）に示すように、縁端圧縮部２０１により板状部材５０が押し潰され、縁端ビード部４１を形成するための縁端ビード形成部２０３による空間に隣接する所定範囲が縁端凹部２１として形成される。
【００３４】
また、図５に示すように、金型２００の型締めを行うことで、面内圧縮部２０２により板状部材５０が押し潰され、面内ビード部４２を形成するための面内ビード形成部２０４による空間に隣接する両側の所定範囲が面内凹部２２として形成される。
【００３５】
縁端凹部２１および面内凹部２２は、金型２００により板状部材５０の主に吸音層３２が押し潰されることで形成される。
【００３６】
こうして金型２００が型締めされた状態で、上述したゲート１３に対応する部分から金型２００の内側に溶融状態の熱可塑性樹脂を流し込んで充填する。
このことにより、溶融状態の熱可塑性樹脂は、縁端ビード形成部２０３および面内ビード形成部２０４内の空間にも流し込まれて充填される。この時、溶融状態の熱可塑性樹脂は高温であるため、その熱により板状部材５０の樹脂層５１を構成する樹脂と一体化され、強固に固着される。
【００３７】
このため、成形樹脂部１１を構成する樹脂、すなわち溶融状態で金型２００内に流し込まれる熱可塑性樹脂と、板状部材５０の樹脂層５１を構成する樹脂とは、熱により一体化されやすい材料であることが好ましい。例えば何れもポリプロピレン系樹脂を主成分とした樹脂材料とすることにより、高い強度、剛性が得られると共に、熱で一体化させる固着性も良好にすることができる。
【００３８】
また、縁端ビード形成部２０３に隣接する板状部材５０側となる所定範囲には、上述のように縁端凹部２１を形成するための縁端圧縮部２０１が配設される。また、面内ビード形成部２０４に隣接する両側の所定範囲には、上述のように面内凹部２２を形成するための面内圧縮部２０２が配設される。
【００３９】
このため、縁端ビード形成部２０３および面内ビード形成部２０４内の空間に溶融状態の熱可塑性樹脂が流し込まれる際、隣接する所定範囲は圧縮されて凹部とされている。このため、流し込まれた溶融状態の熱可塑性樹脂は板状部材５０の面内に漏れ出ることがなく、縁端ビード形成部２０３および面内ビード形成部２０４内の空間に留まる。
また、縁端ビード形成部２０３および面内ビード形成部２０４内の空間は、板状部材５０における樹脂層５１側に配設されるため、流し込まれる熱可塑性樹脂の流動性も良好となる。すなわち、吸音層５２を構成する不織布などによる表面抵抗がない状態で溶融状態の熱可塑性樹脂を金型２００内の空間に流し込むことができる。
【００４０】
こうして金型２００の内側の空間に溶融状態の熱可塑性樹脂を流し込んで充填し、冷却した後、金型２００を開いて成形品を離型させ、ゲートカットなどの所定の工程を行うことでフェンダプロテクタ１００を製造することができる。
【００４１】
次に、上述した実施形態の効果について説明する。
上述した実施形態では、薄肉の射出成形で製造されるフェンダプロテクタ１００の少なくとも１箇所に、樹脂層３１と吸音層３２の２層構造からなる板状防音部２０を備える。また、板状防音部２０の縁端部２３を包み込むように、この縁端部２３に沿う線状の縁端ビード部４１が延設される。さらに、板状防音部２０の面内における所定位置に、線状の面内ビード部４２が形成される。
【００４２】
このため、樹脂と比較して剛性や強度の低い吸音層３２を有する板状防音部２０を備えた構成でありながら、その板状防音部２０が配設された場所の剛性や強度を局所的に向上させることができる。
【００４３】
また、縁端ビード部４１や面内ビード部４２が、板状防音部２０における樹脂層３１の側の面に形成されるため、縁端ビード部４１や面内ビード部４２における樹脂と樹脂層３１の樹脂とを射出成形の熱で一体化させ、強固に固着させることができる。また、板状防音部２０の縁端部２３が縁端ビード部４１の内部に収まるように配置されるため、この縁端ビード部４１の内部についても、縁端ビード部４１の樹脂と樹脂層３１の樹脂とを射出成形の熱で一体化させ、強固に固着させることができる。
このため、さらに高い強度を得ることができる。
【００４４】
このように、本実施形態のフェンダプロテクタ１００は、縁端ビード部４１や面内ビード部４２を形成することで、板状防音部２０の配設された場所周りにおける変形防止を図ると共に、剛性や強度をアップさせた構成となっている。このため、吸音層３２を有する板状防音部２０を備えた構成でありながら、フェンダプロテクタ１００の設計における制約を小さくすることができる。例えばフェンダプロテクタ１００に穴、リブ、ピンなどを配設する設計をする場合であっても、設計に強度や剛性による制約が加わることがない。
このように、設計の自由度の大きいフェンダプロテクタ１００を提供することができる。
【００４５】
また、板状防音部２０は、樹脂層３１が遮音性を有し、吸音層３２が吸音性を有するため、車両の走行時に発生する各種の騒音を効果的に低減することができる。例えば上述のようにタイヤ側に板状防音部２０の吸音層３２を配設した構成とすることにより、吸音層３２の不織布などでチッピング音・スプラッシュ音等の打音を小さくすることができる。また、車体側に配設された樹脂層３１によりパターンノイズ等を遮音することができる。
このように、板状防音部２０を目的に応じた構成とすることで、車両の走行時に発生する各種の騒音を効果的に低減することができる。
【００４６】
近年は軽量化による薄肉化が強く求められ、防音性については対策が困難になる方向となっている。
これに対し、上述した実施形態によれば、フェンダプロテクタ１００における剛性が必要な部位については成形樹脂部１１で構成し、防音性を重視したい部位に目的に応じた構成とした板状防音部２０を配置することで、軽量化、薄肉化も可能でありながら防音性にも優れた構成とすることができる。例えば上述した実施形態の構成では、全体を熱可塑性樹脂のみで構成された従来のフェンダプロテクタと重量はほとんど同等にできる。それでいて、樹脂のみで構成された従来のフェンダプロテクタでは対策が困難なチッピング音・スプラッシュ音等の打音などに対しても防音性を向上させることができる。
【００４７】
また、射出成形に用いる金型２００には、縁端ビード形成部２０３に隣接する位置に縁端圧縮部２０１が、面内ビード形成部２０４に隣接する位置に面内圧縮部２０２が、それぞれ形成される。そして、金型２００の型締めの際に、この縁端圧縮部２０１、面内圧縮部２０２により板状部材５０を押し潰し、縁端凹部２１、面内凹部２２を形成する。
このため、金型２００の内側の空間に溶融状態の熱可塑性樹脂を流し込んで充填する際にも、溶融状態の樹脂が板状防音部２０の面内に漏れることを確実に防止することができる。このため、設計通りの形状の成形品を確実かつ安定して製造することができる。
【００４８】
また、縁端ビード部４１や面内ビード部４２は、板状防音部２０における樹脂層３１の側に形成される。このため、射出成形による製造工程で、金型２００の内側の空間に溶融状態の熱可塑性樹脂を流し込んで充填する際にも、溶融状態の熱可塑性樹脂の流動性を高めることができる。このため、設計通りの形状の成形品を確実かつ安定して製造することができる。
【００４９】
また、製造工程としても、金型２００の間に板状部材５０を配置して型締めするだけの一般的な射出成形の工程だけで、上述した縁端ビード部４１や面内ビード部４２に加えて、隣接する縁端凹部２１、面内凹部２２も形成し、板状防音部２０を成形樹脂部１１に一体化させて強固に固着させたフェンダプロテクタ１００を製造することができる。
このため、設計の自由度が大きく防音性の高いフェンダプロテクタ１００を低コストに提供することができる。
【００５０】
なお、上述した各実施形態は本発明の好適な実施形態であり、本発明はこれに限定されることなく、本発明の技術的思想に基づいて種々変形して実施することが可能である。
【００５１】
例えば、板状防音部２０の樹脂層３１の面を車体側、タイヤ側のどちらに配置するかは、設計上の目的などに応じて、上述した実施形態と逆向きであってもよい。また、図６に示すように、板状防音部２０の一部についてだけ異なる向きで配設してもよい。図６の構成例では、フェンダプロテクタ１００の湾曲した面形状における後方側の板状防音部２０ａについては、上述した実施形態と同様に樹脂層３１が車体側に配置され、上部の板状防音部２０ｂについては、樹脂層３１がタイヤ側に配置された逆向きの構成となっている。
【００５２】
上述のように、タイヤ側に板状防音部２０の吸音層３２を配設した場合、吸音層３２の不織布などでチッピング音・スプラッシュ音等の打音を小さくでき、車体側に配設された樹脂層３１によりパターンノイズ等を遮音することができる。
一方、タイヤ側に板状防音部２０の樹脂層３１を配設した場合、タイヤ側の樹脂層３１でパターンノイズ等を遮音でき、車体側に配設された吸音層３２の不織布などでエンジンノイズ、こもり音、ロードノイズなどを吸音することができる。
【００５３】
このため、図６のように構成することで、上部の板状防音部２０ｂではエンジンルームの遮音を重視し、後方側の板状防音部２０ａではチッピング音・スプラッシュ音等の打音の吸音を重視した防音特性とすることができる。
また、上部および後方側の全体について、タイヤ側に板状防音部２０の樹脂層３１を配設した構成では、エンジンルームの遮音を重視した防音特性とすることができる。
このように、設計上の目的などに応じて、板状防音部２０の向きは配置場所に応じて適宜設計されてよい。
【００５４】
また、例えば図７に示すように、金型２００の間に挟み込む前の板状部材５０を予めプレスなどで賦形し、凹凸形状を付与してもよい。図７の例では、凸状溝２４が予め賦形された構成例を示す。
このように板状部材５０を予めプレスなどして凹凸形状を付与しておくことにより、成形品としてのフェンダプロテクタ１００の剛性をさらに向上させることができる。また、付与する形状によって、車体の取付部分の形状への追従性を向上させることもできる。
【００５５】
また、面内ビード部４２は、上述した実施形態のように十字型に限定されず、縁端部における点と、縁端部における他の点との間をつなぐ線状であれば任意の形状であってよい。例えば、ゲート１３から放射状になるよう形成されてもよく、蜘蛛の巣型などであってもよい。また、面内ビード部４２となる線は、直線であっても曲線であってもよい。また、面内ビード部４２となる線と線は交差してもしなくてもよい。また、線幅、すなわち長手方向に垂直な断面の断面積は一定に限定されず、例えばテーパ状などであってもよい。
このように、面内ビード部４２の配置や形状が種々変更された場合であっても、隣接する所定範囲に面内凹部２２を形成することで、本発明を同様に実現することができる。
【００５６】
また、縁端ビード部４１についても、線状の凸部となる線の線幅、すなわち長手方向に垂直な断面の断面積は一定に限定されず、例えばテーパ状などであってもよい。
また、縁端ビード部４１は、縁端部２３の全てに配設されることに限定されず、設計等に応じて少なくとも一部に形成されていれば、本発明を同様に実現することができる。
【００５７】
また、縁端凹部２１や面内凹部２２の延設方向における幅も、一定に限定されず、例えばテーパ状などであってもよい。
【００５８】
また、面内ビード部４２や縁端ビード部４１は、線状の凸部であればビード形状に限定されず、補強できる厚肉部として任意の形状であってよい。特に、射出成形の際に溶融状態の熱可塑性樹脂の流動性のよい形状であることが好ましい。
【００５９】
また、板状防音部２０は、吸音層を含み、縁端ビード部４１や面内ビード部４２が形成される側の表面に樹脂層が配設された構成であれば、上述のような２層構造に限定されず、３層以上など任意の層構成であってよい。
【００６０】
また、上述した実施形態では、本発明を自動車のフェンダプロテクタに適用した例について説明したが、例えばアンダーカバーなど、防音性が求められる各種の車両用外装材にも本発明は同様に適用することができる。
【符号の説明】
【００６１】
１００    フェンダプロテクタ
１１    成形樹脂部
１２    切欠部
１３    ゲート
２０    板状防音部
２１    縁端凹部
２２    面内凹部
２３    縁端部
３１    樹脂層
３２    吸音層
４１    縁端ビード部（線状凸部の一例）
４２    面内ビード部（線状凸部の一例）
５０    板状部材
５１    樹脂層
５２    吸音層
５３    縁端部
２００    金型
２０１    縁端圧縮部
２０２    面内圧縮部
２０３    縁端ビード形成部
２０４    面内ビード形成部
【図１】
2015013538.tif 000003
【図２】
2015013538.tif 000004
【図３】
2015013538.tif 000005
【図４】
2015013538.tif 000006
【図５】
2015013538.tif 000007
【図６】
2015013538.tif 000008
【図７】
2015013538.tif 000009